(57)【要約】【課題】  蚊等の虫が近づくのを排除しながら、釣り操作を軽快に行うことができる釣り竿を提供する。【解決手段】  元竿１の竿尻端内に、蚊取線香２を収納する尻栓付き収納ケース３を収納載置するとともに、尻栓４に収納ケース内から防虫気体を外部に誘導する貫通孔４ｂが形成されている。【選択図】        図１
2007143498.tif 000002
【特許請求の範囲】
【請求項１】
手元側の竿体に防虫機構を備えている釣り竿。
【請求項２】
前記防虫機構が、防虫薬体を収納する収納ケースと、前記収納ケースの開口を開閉する栓体とで構成されるとともに、前記収納ケースが前記手元側の竿体の内部空間内に設置され、前記栓体に前記収納ケース内から防虫気体を外部に誘導する導通口が形成されている請求項１記載の釣り竿。
【請求項３】
前記防虫機構が、防虫薬体を収納する収納ケースと、前記収納ケースに収納され、前記防虫薬体を加熱するヒータと、前記収納ケースの開口を開閉する栓体とで構成されるとともに、前記収納ケースが前記手元側の竿体の内部空間内に設置され、前記栓体に前記収納ケース内から防虫気体を外部に誘導する導通口が形成されている請求項１記載の釣り竿。
【請求項４】
前記防虫機構が、超音波を発信する超音波発信機構と、前記超音波発信機構を駆動制御する制御手段とで構成されている請求項１記載の釣り竿。
【発明の詳細な説明】
【技術分野】
【０００１】
本発明は、釣り竿に関する。
【背景技術】
【０００２】
夏場の釣り等においては、蚊や蝿が煩く感じられ、釣り操作に集中できないことがある。このような場合の対策としては、携行タイプの蚊取線香等の虫除け具を使用する方法がある（特許文献１参照）。
【０００３】
【特許文献１】特開平５−２６２６０２号公報（段落番号〔００２０〕、及び、図６）
【発明の開示】
【発明が解決しようとする課題】
【０００４】
上記したような虫除け具を使用すれば、蚊等の撃退には有効であると認められるものであるが、仕掛けや重り等の各種釣り操作に関連する小道具をベストやそのほかの身の回りに装備している釣り人にとって、さらに、この虫除け具を身に付けることは、煩わしく、快適な釣り操作を行い難いものであった。
【０００５】
本発明の目的は、蚊等の虫が近づくのを排除しながら、釣り操作を軽快に行うことができる釣り竿を提供する点にある。
【課題を解決するための手段】
【０００６】
〔構成〕
請求項１に係る発明の特徴構成は、手元側の竿体に防虫機構を備えている点にあり、その作用効果は次の通りである。
【０００７】
〔作用〕
この防虫機構を釣り操作時には釣り人の近くに位置する手元側の竿体に設けてあるので、蚊等が釣り人に近づくことを阻止する。
しかも、防虫機構が竿体に設けてあるので、釣り人はその防虫機構を身体に装備する必要はなく、その防虫機構を身体に帯びて操作する場合に比べて、釣り操作が快適である。
【０００８】
〔効果〕
防虫機構の採用によって釣り操作を快適に行えるものとなるとともに、通常は空き空間であることが多い竿体に取り付けることによって、釣り人が身体に装備する必要はなく、それだけ、身体の自由度を確保して釣り操作をより快適なものにできた。
【０００９】
請求項２に係る発明の特徴構成は、請求項１に係る発明において、前記防虫機構が、防虫薬体を収納する収納ケースと、前記収納ケースの開口を開閉する栓体とで構成されるとともに、前記収納ケースが前記手元側の竿体の内部空間内に設置され、前記栓体に前記収納ケース内から防虫気体を外部に誘導する導通口が形成されている点にあり、その作用効果は次の通りである。
【００１０】
〔作用効果〕
つまり、収納ケースを手元側の竿体に装着することによって、釣り人がその収納ケースを装備する必要はなく、快適な釣り操作が可能である。
しかも、収納ケースは手元側の竿体の内部空間に設置されているので、元々、空き空間になることが多い竿体内部の有効利用にも寄与できて、有用な釣り竿を提供できるに至った。
【００１１】
請求項３に係る発明の特徴構成は、請求項１に係る発明において、前記防虫機構が、防虫薬体を収納する収納ケースと、前記収納ケースに収納され、前記防虫薬体を加熱するヒータと、前記収納ケースの開口を開閉する栓体とで構成されるとともに、前記収納ケースが前記手元側の竿体の内部空間内に設置され、前記栓体に前記収納ケース内から防虫気体を外部に誘導する導通口が形成されている点にあり、その作用効果は次の通りである。
【００１２】
〔作用効果〕
つまり、収納ケースを手元側の竿体に装着することによって、釣り人がその収納ケースを装備する必要はなく、快適な釣り操作が可能である。
しかも、収納ケースは手元側の竿体の内部空間に設置されているので、元々、空き空間になることが多い竿体内部の有効利用にも寄与できて、有用な釣り竿を提供できるに至った。
それに加えて、防虫機構自体にヒータを備えているので、防虫薬体から防虫気体を気化させるのに、マッチやライター等の点火装置を必要とせず、扱いが容易である。
【００１３】
請求項４に係る発明の特徴構成は、請求項１に係る発明において、前記防虫機構が、超音波を発信する超音波発信機構と、前記超音波発信機構を駆動制御する制御手段とで構成されている点にあり、その作用効果は次の通りである。
【００１４】
〔作用効果〕
蚊等の虫が嫌う超音波を発生させてそれらの虫を寄せ付けないようにすることができる。
この超音波発信機構を利用した防虫機構は防虫薬体のように加熱等をすることがないので、竿体に装着する場合にも、加熱に対する注意を払った配置や収納ケースを設けるといった構成を採る必要がなく、釣り竿に採用する場合に容易に行えるものである。
【発明を実施するための最良の形態】
【００１５】
手元側の竿体としての元竿１の竿尻端に設ける防虫機構Ａについて説明する。
〔第１実施形態〕
防虫機構Ａを構成する防虫薬体として棒状の蚊取線香（市販品）２を使用する機構について説明する。図１に示すように、元竿１の竿尻端の開口１Ａから蚊取線香２を収納する金属製の収納ケース３を挿入載置する。収納ケース３を元竿１内に装着固定する方法としては、接着剤を使用して固定する方法や圧入嵌合する固定方法が利用できる。
【００１６】
図１に示すように、収納ケース３の後端開口には尻栓（栓体の一例）４を装着してあり、尻栓４は、有底筒状の金属製本体部４Ａと、金属製本体部４Ａの後底部分に装着してある樹脂製又はゴム製のカバー体４Ｂとで構成してある。筒状部分には、収納ケース３の開口３Ｂに螺着される雄ネジ部４ａが形成されている。
前記金属製本体部４Ａの中心位置には、棒状の蚊取線香２を嵌入保持する為の台座４ｃが形成され、この台座４ｃに蚊取線香２を保持した状態で、尻栓４を収納ケース３に取り付けることによって、蚊取線香２を収納ケース３内に装入できる。
このように、金属製本体部４Ａを金属製に形成してあるのは、着火状態にある蚊取線香２を収納ケース３内に収納するからである。収納ケース３、尻栓４ともにアルミニュウム等の軽量金属を使用することができる。
【００１７】
図１（ロ）に示すように、尻栓４の後底部分においては円周方向４箇所に、金属製本体部４Ａから樹脂製等のカバー体４Ｂに亘って貫通する導通口としての貫通孔４ｂを形成し、図１（ハ）に示すように、収納ケース３内に載置された蚊取線香２が発生させる防虫気体を尻栓４の外方に誘導するように構成してある。
このような構成によって、釣りの最中であっても、釣り人の近くに蚊取線香２の効能が及び、快適な釣り操作が期待できる。
【００１８】
〔第２実施形態〕
第１実施形態においては、棒状の蚊取線香２を利用した防虫機構Ａについて説明したが、この第２実施形態においては、別形態の線香５を利用したものを示す。ここで、別形態の線香５としては、大日本除虫菊株式会社製の「電子蚊取マット」等があり、ヒータを使用する防虫機構Ａである。
【００１９】
第１実施形態と同様に、図２に示すように、元竿１の竿尻端開口に蚊取線香５を収納する収納ケース３を嵌め込み接着固定する。収納ケース３の内部に防虫薬体としてのマット状蚊取線香５を加熱し、防虫用の薬効成分を気体として揮発させるヒータ６を設ける。収納ケース３の外周部には、ヒータ６に接続されるバッテリー７か電源接続用コネクタを設ける。収納ケース３の後端開口部には、尻栓８が装着してあり、この尻栓８はヒータ６と離間して設置されるので、樹脂等で製作されるものである。勿論、第１実施形態と同じ尻栓４を螺着するようにしてもよい。尻栓８には、蚊取線香５から揮発された薬効成分を尻栓８の外方に誘導する導通口８ａを設けてある。
【００２０】
〔第３実施形態〕
第１実施形態及び第２実施形態においては、防虫薬体としての蚊取線香２、５を利用した防虫機構Ａについて説明したが、この第３実施形態においては、蚊取線香２，５を利用しないものを示す。
図３に示すように、元竿１の尻端に直接尻栓４を螺着可能に構成するとともに、尻栓４の内部空間及び尻栓４自体に防虫機構Ａを設ける。防虫機構Ａは、尻栓４の肉厚内に設けてある超音波を発信する超音波発信機構９と、前記尻栓４の内部空間に設けてあり、前記超音波発信機構９を駆動制御する制御手段としてのコントロール装置１０で構成されている。図中１１は、コントロール装置１０の電源部である。
【００２１】
超音波発信機構９から発信される周波数は、６,０００Ｈｚ〜９,０００Ｈｚ、又は、１６,０００Ｈｚ〜１８,０００Ｈｚの帯域のものであり、これらの周波数帯域の超音波に対して蚊が拒否反応を見せることが解っている。超音波発信機構９としては、電磁石とコイルを組み合わせた一般的に使用されるスピーカーが使用できる。また、圧電素子を利用した発信器を使用してもよい。
【００２２】
〔別実施形態〕
（１）  防虫薬体２，５としては、必ずしも、蚊取線香２やマット状線香５に限られず、液体式の防虫薬であってもよい。この場合に、防虫薬を二液式にし、両液を混合させることによって、防虫気体を発生させる構成を採ってもよい。
（２）  収納ケース３としては、樹脂で構成し、ケース内面に耐熱性のコーティングを施したものでもよい。
（３）  防虫機構Ａを装備する対象としては、元竿１に限定されず、手元側の竿体としての元上等であってもよい。
【図面の簡単な説明】
【００２３】
【図１】（イ）は、防虫機構を元竿に装着する前の状態を示す分解縦断側面図、（ロ）は、尻栓に形成した導通口を示す構成図、（ハ）は、防虫機構を元竿に装着した状態を示す縦断側面図
【図２】防虫機構としてヒータを利用した別実施形態を示し、（イ）は縦断側面図、（ロ）は縦断背面図
【図３】防虫機構として超音波発信機構を利用した別実施形態を示す縦断側面図
【符号の説明】
【００２４】
１            手元側の竿体
２、５        防虫薬体
３            収納ケース
４、８        栓体
４ｂ、８ａ    導通口
６            ヒータ
９            超音波発信機構
１０          コントロール装置
【図１】
2007143498.tif 000003
【図２】
2007143498.tif 000004
【図３】
2007143498.tif 000005